(57)【特許請求の範囲】
【請求項１】
流体管の外周面に締着される分割されたサドルのいずれかに、前記流体管に穿設した分岐孔と連通可能な分水栓取付部が設けられ、かつ該分水栓取付部の流体管側の開口部と前記流体管における分岐孔の周囲との間に装着したシール部材により、流体管とサドル間のシール性を保持するようにした分岐サドル装置において、
前記サドルにおける少なくとも分水栓取付部付近を、半径方向に弾性変形可能なプラスチックにより形成し、かつその部分を内向きに膨出することにより、流体管への未締着時においてその内径を縮径させたことを特徴とする分岐サドル装置。
【請求項２】
分水栓取付部を有する分割されたサドルを一体にプラスチックにより形成し、分水栓取付部の基部を薄肉状として内向きに膨出させたことを特徴とする請求項１記載の分岐サドル装置。
【請求項３】
流体管の外周面に締着される分割されたサドルのいずれかに、前記流体管に穿設した分岐孔と連通可能な分水栓取付部が設けられ、かつ該分水栓取付部の流体管側の開口部と前記流体管における分岐孔の周囲との間に装着したシール部材により、流体管とサドル間のシール性を保持するようにした分岐サドル装置において、
前記分水栓取付部をプラスチックにより形成して、サドル本体の取付孔に嵌合するとともに、分水栓取付部における流体管側の開口部に連設したフランジ部を、シール部材を装着した状態で縮径方向に折曲させて、サドル本体の内面と当接しうるようにしたことを特徴とする分岐サドル装置。
【請求項４】
プラスチックが、グラス繊維強化プラスチック又はカーボン繊維強化プラスチックである請求項１ないし３のいずれかに記載の分岐サドル装置。
【発明の詳細な説明】
【０００１】
【発明の属する技術分野】
本発明は、例えば上水道、下水道等の流体管に分岐管を装着する際に用いられる分岐サドル装置に関する。
【０００２】
【従来の技術】
この種の従来の分岐サドル装置としては、例えば、図６に示すようなものが知られている。
【０００３】
この従来の分岐サドル装置は、上部に分岐孔１が穿設された水道本管２の外周面に、ボルト３とナット４により締着された半割円筒状の上下１対のサドル５、６と、上部サドル５上部の分水栓取付部５ａに形成した、分岐孔１と同軸をなす雌ねじ孔７に螺着された分水栓８と、分水栓取付部５ａにおける水道本管２側の開口部の環状凹部９内に、上記分岐孔１の周囲を囲むようにして装着されたパッキン１０とからなっている。
【０００４】
【発明が解決しようとする課題】
上述のような分岐サドル装置の上下のサドル５、６は通常、ダクタイル鋳鉄又はステンレス鋼等により形成される場合が多い。このような材質により形成されたサドルは、弾性力に乏しいため、経時劣化等によりパッキン１０の圧接力が低下すると、そのシール性が損われ、水洩れや水道水の汚濁の原因となる。
【０００５】
また、ダクタイル鋳鉄製の水道本管２に、ステンレス製のサドル５、６を装着すると、電位差が発生し、互いの接触面が腐食することがある。この腐食がパッキン１０の装着部に発生すると、パッキン１０によるシール性が損われる。また腐食等により互いの接触面の密着性が低下すると、サドル５、６や分水栓８に震動が加わった際に、サドル５、６が円周方向に回動し、パッキン１０が位置ずれを起こしてシール効果がなくなる恐れもある。
【０００６】
本発明は、上記問題点に鑑みてなされたもので、サドルにおけるパッキン装着部に弾性力を持たせることにより、パッキンの圧接力を高めるとともに、パッキン装着部に腐食が発生するのを防止し、シール性を大幅に向上することができるようにしたサドル分岐装置を提供することを目的としている。
【０００７】
【課題を解決するための手段】
上記目的を達成するために、本発明は、流体管の外周面に締着される分割されたサドルのいずれかに、前記流体管に穿設した分岐孔と連通可能な分水栓取付部が設けられ、かつ該分水栓取付部の流体管側の開口部と前記流体管における分岐孔の周囲との間に装着したシール部材により、流体管とサドル間のシール性を保持するようにした分岐サドル装置において、
前記サドルにおける少なくとも分水栓取付部付近を、半径方向に弾性変形可能なプラスチックにより形成し、かつその部分を内向きに膨出することにより、流体管への未締着時においてその内径を縮径させたことを特徴としている。
【０００８】
上記分水栓取付部を有する分割されたサドルを一体にプラスチックにより形成し、分水栓取付部の基部を薄肉状として内向きに膨出させるのが好ましい。
【０００９】
また、本発明は、流体管の外周面に締着される分割されたサドルのいずれかに、前記流体管に穿設した分岐孔と連通可能な分水栓取付部が設けられ、かつ該分水栓取付部の流体管側の開口部と前記流体管における分岐孔の周囲との間に装着したシール部材により、流体管とサドル間のシール性を保持するようにした分岐サドル装置において、
前記分水栓取付部をプラスチックにより形成して、サドル本体の取付孔に嵌合するとともに、分水栓取付部における流体管側の開口部に連設したフランジ部を、シール部材を装着した状態で縮径方向に折曲させて、サドル本体の内面と当接しうるようにしたことを特徴としている。
【００１０】
上記プラスチックが、グラス繊維強化プラスチック又はカーボン繊維強化プラスチックであるものとするのが好ましい。
【００１１】
請求項１記載の発明によると、サドルを流体管に締着した際に、内向きに膨出させて縮径した部分が、外方向（離心方向）に弾性変形して流体管に強く圧接する。また、請求項３の発明によると、サドルを流体管に締着した際に、フランジ部が強制的に弾性変形して流体管に圧接する。
これにより、シール部材は、常に押圧されるようになり、シール性が向上する。
【００１２】
【発明の実施の形態】
以下、実施例を図面に基づいて説明する。なお、上記従来例と同様の部材には、同じ符号を付して説明する。
【００１３】
図１及び図２は、本発明の第１実施例を示すもので、それぞれ水道本管２に装着する前及び後の状態を示している。
【００１４】
図１において、下部サドル６は、従来と同様、ダクタイル鋳鉄又はステンレス鋼により形成されている。上部サドル１１は、ガラス繊維強化プラスチック（ＦＲＰ）又はカーボン繊維強化プラスチック（ＣＦＲＰ）等により形成され、分水栓取付部１１ａの基部１１ｂは、薄肉状として内向きに膨出することにより、その部分の内径を若干縮径させてある。
【００１５】
図２に示すように、上下のサドル１１、６を上部サドル１１に形成した環状凹部９にパッキン１０を装着して、水道本管２にボルト３とナット４により締着すると、上部サドル１１は、その分水栓取付部１１ａの基部１１ｂが外方向（離心方向）に弾性変形することにより、水道本管２に密着する。この際、基部１１ｂは、下向きに復元しようとして水道本管２に強く圧接するので、万一経時劣化等によりパッキン１０の圧接力が低下しても、パッキン１０は常に押圧されるようになり、従って、そのシール性が損われて水洩れ等を発生させる恐れはない。
【００１６】
また、上部サドル１１は、プラスチック製であるため、腐食する恐れはなく、これによりシール性が損われたり、水道本管２に対する密着性の低下によりサドル１１、６が円周方向に回動してパッキン１０に位置ずれを起こしたりすることもない。
【００１７】
さらに、上部サドル１１に取付けた分水栓８等に震動等の外力が作用した際、基部１１ｂを中心として僅かに弾性変形し、その力を吸収するので、サドル１１、６に位置ずれが生じるのを防止することができる。
【００１８】
図３は、本発明の第２実施例を示す。この実施例は、上部サドル１１を、サドル本体１２と分水栓取付部１３との２部材により構成し、分水栓取付部１３をサドル本体１２の上部中央の取付孔１２ａに嵌合したものである。サドル本体１２は、ダクタイル鋳鉄又はステンレス鋼により、分水栓取付部１３は、ガラス繊維強化プラスチック又はカーボン繊維強化プラスチックにより形成されている。
【００１９】
分水栓取付部１３の下部の係止フランジ部１３ａは、ほぼハ字形をなす円弧状に折曲して縮径され、サドル本体１２の内面に形成した環状凹部１２ｂ内に密に嵌合されるようになっている。
【００２０】
この実施例のサドル１１を水道本管２に締着すると、図４に示すように、係止フランジ部１３ａの外周部が上向きに強制的に弾性変形されており、水道本管２に圧接状態となる。従って、上記第１実施例と同様、環状凹部９に装着したパッキン１０の圧接力が低下しても、シール性が損われることはない。
【００２１】
図５は、本発明の第３実施例を示す。この実施例は、上記第２実施例と同様の分水栓取付部１３の係止フランジ部１３ａを、ほぼ水平円弧状として縮径させ、水道本管２に締着した際、係止フランジ部１３ａの内周部が上向きに弾性変形して、水道本管２に圧接するようにしたものである。この実施例においても、上記実施例と同様の作用効果を奏する。
【００２２】
本発明は上記実施例に限定されるものではない。
【００２３】
例えば、上記第２、第３実施例において、サドル本体１２もガラス繊維強化プラスチック又はカーボン繊維強化プラスチックにより形成することもある。
【００２４】
【発明の効果】
本発明によれば、次のような効果を奏する。
【００２５】
（ａ）サドルを流体管に締着すると、内向きに膨出された部分が、外方向に弾性変形して、流体管に強く圧接するので、経時劣化等によりシール部材の圧接力が低下しても、高いシール性が保持され、流体が漏洩するのを防止することができる。
【００２６】
（ｂ）また、分水栓取付部に震動等の外力が作用した際、それが僅かに変形してその力を吸収するので、サドルが流体管に対して位置ずれを起こす恐れがない。
【００２７】
（ｃ）請求項２に記載の発明によれば、シール部材が装着される側のサドルと流体管との接触部が、電位差等により腐食するのが防止されるので、シール性が損われる恐れはなく、またサドルの軽量化につながる。
【００２８】
（ｄ）請求項３に記載の発明によれば、分水栓取付部のみを設計変更するだけで、口径等の異なる種々の分水栓を取付けることが可能となる。
【００２９】
（ｅ）請求項４に記載の発明によれば、サドルは通常のダクタイル鋳鉄等に匹敵する機械的強度を有するため、土中に埋設した際にも損壊等の発生する恐れはない。
【００３０】
【図面の簡単な説明】
【図１】本発明の第１の実施例を示す一部切欠正面図である。
【図２】同じく水道本管への締着時を示す一部切欠正面図である。
【図３】本発明の第２実施例を示す上部サドルの一部切欠正面図である。
【図４】同じく水道本管への締着状態時の一部切欠正面図である。
【図５】本発明の第３実施例を示す上部サドルの一部切欠正面図である。
【図６】従来の分岐サドル装置の一部切欠正面図である。
【符号の説明】
１            分岐孔
２            水道本管（流体管）
３            ボルト
４            ナット
５            上部サドル
６            下部サドル
７            雌ねじ孔
８            分水栓
９            環状凹部
１０            パッキン（シール部材）
１１            サドル本体
１１ａ          分水栓取付部
１１ｂ          基部
１２            上部サドル
１２ａ          取付孔
１２ｂ          環状凹部
１３            分水栓取付部
１３ａ          係止フランジ部
【図１】
0003625563.tif 000002
【図２】
0003625563.tif 000003
【図３】
0003625563.tif 000004
【図４】
0003625563.tif 000005
【図５】
0003625563.tif 000006
【図６】
0003625563.tif 000007